(57)【要約】【課題】一開示は、ネットワークの負荷を軽減することができる通信システムを提供することにある。【解決手段】端末装置と無線通信を行う第１及び第２の基地局装置と、前記第１及び第２の基地局装置を制御する制御装置との間に接続された中継装置において、前記第１の基地局装置と無線通信を行っている前記端末装置の通信量を含むトラヒック情報を、前記第１の基地局装置から受信し、前記トラヒック情報に基づいて、前記端末装置を前記第１の基地局装置から前記第２の基地局装置に移動させるよう要求するハンドオーバー要求メッセージを、前記制御装置に送信するプロセッサを備える。【選択図】図１３
2016167725.tif 000002
【特許請求の範囲】
【請求項１】
端末装置と無線通信を行う第１及び第２の基地局装置と、前記第１及び第２の基地局装置を制御する制御装置との間に接続された中継装置において、
前記第１の基地局装置と無線通信を行っている前記端末装置の通信量を含むトラヒック情報を、前記第１の基地局装置から受信し、前記トラヒック情報に基づいて、前記端末装置を前記第１の基地局装置から前記第２の基地局装置に移動させるよう要求するハンドオーバー要求メッセージを、前記制御装置に送信するプロセッサ
を備えることを特徴とする中継装置。
【請求項２】
前記制御装置は、さらに第３の基地局装置と接続し、前記第３の基地局装置が有する第３のサービスエリアは、前記第１及び第２の基地局装置の有する第１及び第２のサービスエリアより広く、前記第１及び第２のサービスエリアは、前記第３のサービスエリに含まれることを特徴とする請求項１記載の中継装置。
【請求項３】
前記第１の基地局装置が有する第１のサービスエリアは、前記第２の基地局装置が有する第２のサービスエリアより広く、前記第２のサービスエリアは、前記第１のサービスエリアに含まれることを特徴とする請求項１記載の中継装置。
【請求項４】
前記プロセッサは、前記端末装置と前記第２の基地局装置との間の通信状態を示す品質情報を前記第１の基地局装置に要求し、前記第１の基地局装置から前記品質情報を受信し、前記品質情報及び前記トラヒック情報に応じて、前記端末装置の移動先の基地局装置として、前記第２の基地局装置を決定することを特徴とする請求項１記載の中継装置。
【請求項５】
前記トラヒック情報は、さらに、前記第１の基地局装置の通信量の上限値に対して使用している通信量の割合を示す利用率を含むことを特徴とする請求項４記載の中継装置。
【請求項６】
前記プロセッサは、前記端末装置が前記第２の基地局装置に移動した後、前記第１の基地局装置に前記端末装置が移動することを抑止するように要求する流入抑止通知を、前記第２の基地局装置に送信することを特徴とする請求項１記載の中継装置。
【請求項７】
端末装置と無線通信を行う第１及び第２の基地局装置と、前記第１及び第２の基地局装置を制御する制御装置との間に接続された中継装置における中継方法であって、
前記第１の基地局装置と無線通信を行っている前記端末装置の通信量を含むトラヒック情報を、前記第１の基地局装置から受信し、
前記トラヒック情報に基づいて、前記端末装置を前記第１の基地局装置から前記第２の基地局装置に移動させるよう要求するハンドオーバー要求メッセージを、前記制御装置に送信する
ことを特徴とする中継方法。
【請求項８】
端末装置と無線通信を行う第１及び第２の基地局装置と、
前記第１及び第２の基地局装置を制御する制御装置と、
前記第１及び第２の基地局装置と前記制御装置との間に接続された中継装置とを備える通信システムにおいて、
前記第１の基地局装置は、前記第１の基地局装置と無線通信を行っている前記端末装置の通信量を含むトラヒック情報を、前記中継装置に送信し、
前記中継装置は、前記トラヒック情報を受信し、受信した前記トラヒック情報に基づいて、前記端末装置を前記第１の基地局装置から前記第２の基地局装置に移動させるよう要求するハンドオーバー要求メッセージを、前記制御装置に送信し
前記制御装置は、前記ハンドオーバー要求メッセージを受信することを特徴とする通信システム。
【発明の詳細な説明】
【技術分野】
【０００１】
本発明は、中継装置、通信システム、中継方法に関する。
【背景技術】
【０００２】
現在、携帯電話システムや無線ＬＡＮ（Local Area Network）などの通信システムが広く利用されている。また、無線通信の分野では、通信速度や通信容量を更に向上させるべく、次世代の通信技術について継続的な議論が行われている。例えば、標準化団体である３ＧＰＰ（3rd Generation Partnership Project）ではＬＴＥ（Long Term Evolution）と呼ばれる通信規格や、ＬＴＥをベースとしたＬＴＥ−Ａ（LTE-Advanced）と呼ばれる通信規格の標準化が完了若しくは検討されている。
【０００３】
近年の通信システムでは、無線基地局装置として、マクロ基地局装置に加えて、フェムト基地局装置と呼ばれる小型の無線基地局装置を備えることがある。ＬＴＥの通信システムにおいては、例えば、マクロ基地局装置をｅＮＢ（evolved Node B）と呼び、フェムト基地局装置をＨｅＮＢ（Home evolved Node B）と呼ぶ。フェムト基地局装置は、例えば、マクロ基地局装置よりカバーエリアが狭く、設置コストが安価である。フェムト基地局装置は、例えば、マクロ基地局装置のカバーエリア内であるが、屋内や山間部であり、マクロ基地局装置の電波が届かないところをカバーするために設置される。このように、例えば、カバーエリアが狭いフェムト基地局装置を、カバーエリアの広いマクロ基地局装置のサービスエリア内に、階層的に構成するネットワークを、ＨｅｔＮｅｔ（Heterogeneous Network）と呼ぶ。
【０００４】
このような技術としては、例えば、以下のような技術がある。
【０００５】
すなわち、ＵプレーンとＣプレーンの制御装置が分離しており、Ｃプレーン制御装置がＵプレーン制御装置の持つトラヒック情報をもとに、ハンドオーバー制御を行う、Ｃプレーン制御装置による無線アクセスネットワーク制御方法に関する技術がある。
【０００６】
この技術によれば、Ｕプレーン装置の状態管理や、ハンドオーバー処理を保障することができる、とされる。
【０００７】
また、無線基地局装置がトラヒックを監視し、高トラヒック時には無線端末装置に対して、他の無線通信方式に従うアクセスポイントへの移動を促す、オフロード促進部を備える無線基地局装置に関する技術がある。
【０００８】
この技術によれば、通信システムにおける通信トラヒックの制御を適切に行い、通信の安定化を図ることができる、とされる。  
【先行技術文献】
【特許文献】
【０００９】
【特許文献１】特開２００４−１９４０７２号公報
【特許文献２】特開２０１４−２２８４７号公報
【発明の概要】
【発明が解決しようとする課題】
【００１０】
上述した、Ｃプレーン制御装置による無線アクセスネットワーク制御方法に関する技術については、Ｃプレーン制御装置が、配下の全てのＮｏｄｅ  Ｂに対してハンドオーバーの管理を行っている。例えば、１台のＣプレーン制御装置の配下のＮｏｄｅ  Ｂの数が増加した場合、Ｃプレーン制御装置の管理対象が増加し、Ｃプレーン制御装置の処理負荷も増大する。しかし、上述した、Ｃプレーン制御装置による無線アクセスネットワーク制御方法に関する技術においては、Ｃプレーン制御装置の処理負荷の増大について、何も解決していない。
【００１１】
また、上述したオフロード促進部を備える無線基地局装置に関する技術については、基地局装置が、移動機を他の無線通信方式のアクセスポイントに移動するように促すことでトラヒック分散を行っている。この方式では、例えば、移動の対象となる移動機の近くにＷｉ−Ｆｉなどの他の無線通信方式のアクセスポイントがない場合、他の無線通信方式に移動機を促すことができず、ネットワークの負荷は軽減できない。
【００１２】
そこで、一開示は、ネットワークの負荷を軽減することができる通信システムを提供することにある。
【課題を解決するための手段】
【００１３】
端末装置と無線通信を行う第１及び第２の基地局装置と、前記第１及び第２の基地局装置を制御する制御装置との間に接続された中継装置において、前記第１の基地局装置と無線通信を行っている前記端末装置の通信量を含むトラヒック情報を、前記第１の基地局装置から受信し、前記トラヒック情報に基づいて、前記端末装置を前記第１の基地局装置から前記第２の基地局装置に移動させるよう要求するハンドオーバー要求メッセージを、前記制御装置に送信するプロセッサを備える。
【発明の効果】
【００１４】
一開示によれば、ネットワークの負荷を軽減することができる通信システムを提供することができる。
【図面の簡単な説明】
【００１５】
【図１】図１は、通信システム１０の構成例を表す図である。
【図２】図２は、通信システム１０の構成例を表す図である。
【図３】図３は、端末装置１００のハードウェアの構成例を表す図である。
【図４】図４は、基地局装置２００のハードウェアの構成例を表す図である。
【図５】図５は、ＨｅＮＢ−ＧＷ３００のハードウェアの構成例を表す図である。
【図６】図６は、ＭＭＥ４００のハードウェアの構成例を表す図である。
【図７】図７は、トラヒック情報の流れの例を表す図である。
【図８】図８は、トラヒック情報のトラヒック量のリストの例を表す図である。
【図９】図９は、トラヒック情報に含まれる端末装置毎のトラヒック量のリストの例を表す図である。
【図１０】図１０は、端末装置毎のトラヒック量の推移の例を表す図である。
【図１１】図１１は、輻輳判定処理のフローの例を表す図である。
【図１２】図１２は、輻輳判定処理において使用するデータの例を表す図である。
【図１３】図１３は、擬似ハンドオーバー処理におけるメッセージの流れを表す図である。
【図１４】図１４は、擬似ハンドオーバー処理のフローの例を表す図である。
【図１５】図１５は、ユーザ情報取得応答の例を表す図である。
【図１６】図１６は、端末流入抑止処理におけるメッセージの流れを表す図である。
【図１７】図１７は、端末流入抑止処理のフローの例を表す図である。
【図１８】図１８は、基地局装置がトラヒック管理を行うときのメッセージの流れを表す図である。
【図１９】図１９は、ＭＭＥがトラヒック管理を行うときのメッセージの流れを表す図である。
【発明を実施するための形態】
【００１６】
以下、本発明を実施するための形態について説明する。
【００１７】
［第１の実施の形態］
第１の実施の形態について説明する。
【００１８】
図１は、通信システム１０の構成例及び送信されるメッセージの流れの例を表している。
【００１９】
通信システム１０は、端末装置１００、第１の基地局装置２００−１、第２の基地局装置２００−２、中継装置３００、及び制御装置４００を備える。
【００２０】
端末装置１００は、例えば、スマートフォンなどの移動体端末である。端末装置１００は、第１の基地局装置２００−１または第２の基地局装置２００−２と無線通信を行う。
【００２１】
第１の基地局装置２００−１及び第２の基地局装置２００−２は、例えば、中継装置３００と接続され、端末装置１００と無線通信を行う無線通信装置である。第１の基地局装置２００−１及び第２の基地局装置２００−２は、制御装置４００と接続されてもよい。
【００２２】
中継装置３００は、例えば、第１の基地局装置２００−１と制御装置４００の間に接続される。中継装置３００は、例えば、第１の基地局装置２００−１と制御装置４００との間で送受信されるメッセージを中継する。中継装置３００は、例えば、第１の基地局装置２００−１から送信させるメッセージの一部を終端してもよい。中継装置３００は、第２の基地局装置２００−２と接続されてもよい。また、中継装置３００は、例えば、プロセッサを備えており、メッセージの送受信や、トラヒック情報を受信した場合の端末装置１００を移動させるかどうかの判定などを行う。
【００２３】
制御装置４００は、例えば、第１の基地局装置２００−１に在圏する端末装置１００の移動管理や、端末装置１００の認証処理を行う。制御装置４００は、第１の基地局装置２００−１及び第２の基地局装置２００−２と接続されてもよい。制御装置４００は、例えば、中継装置３００や、第１の基地局装置２００−１または第２の基地局装置２００−２から送信されたハンドオーバー要求を受信し、端末装置１００のハンドオーバーの許可または不許可を判断する。
【００２４】
第１の実施の形態において、第１の基地局装置２００−１は、例えば、定期的にトラヒック情報を中継装置３００に送信する（Ｓ１）。トラヒック情報には、例えば、第１の基地局装置２００−１と通信中の端末装置１００が、どれくらいの通信量であるかという情報が含まれる。通信量とは、例えば、１秒間に何ビットのデータを送信しているかを表す数値であり、bps（bit per second）で示される。中継装置３００は、第１の基地局装置２００−１から受信したトラヒック情報に応じて、端末装置１００を第２の基地局装置２００−２に移動させるよう、制御装置４００に対してハンドオーバー要求を送信する（Ｓ２）。中継装置３００がハンドオーバー要求を送信するときは、例えば、トラヒック情報に含まれる通信量が閾値以下であることから、第１の基地局装置２００−１に輻輳が発生していると判定したときである。
【００２５】
例えば、第１及び第２の基地局装置２００−１，２の間でトラヒック情報を送受信して、第１及び第２の基地局装置２００−１，２がハンドオーバーを行うことを判断する場合、第１及び第２の基地局装置２００−１，２の間に発生するトラヒック情報の送受信がネットワークの負荷となる。
【００２６】
また、制御装置４００がトラヒック情報を受信して、ハンドオーバーを行うことを判断する場合、中継装置３００と制御装置４００の間でトラヒック情報の送受信が発生し、ネットワークの負荷となる。
【００２７】
このように、第１の実施の形態では、中継装置３００が第１及び第２の基地局装置２００−１，２のトラヒック情報からハンドオーバー指示を作成、送信している。このようにすることで、第１及び第２の基地局装置２００−１，２の間でメッセージの送受信を行わず、なおかつ中継装置３００と制御装置４００との間のメッセージの送受信も少なくすることができ、ネットワークの負荷を軽減することができる。
【００２８】
［第２の実施の形態］
次に第２の実施の形態について説明する。
【００２９】
＜通信システムの構成例＞
最初に通信システム１０の構成例について説明する。図２は、第２の実施の形態における通信システム１０の構成例を表わす図である。
【００３０】
通信システム１０は、端末装置１００−１〜４、ＨｅＮＢ２００−１、ｅＮＢ２００−２、及びＨｅＮＢ−ＧＷ（Home evolved Node B Gateway）３００を備える。さらに、通信システム１０は、ＭＭＥ（Mobility Management Entity）４００、ＬＴＥ網６０１、ＩＰＮＷ（IP Network）網６０２、キャリアアクセス網６０３、及びキャリアコアＮＷ網６０４を備える。
【００３１】
端末装置１００−１〜４は、例えば、ＨｅＮＢ２００−１やｅＮＢ２００−２と無線通信を行う無線通信装置である。端末装置１００−１〜４の例としては、スマートフォンやフィーチャーフォンなどがある。端末装置１００−１〜４は、ＨｅＮＢ２００−１やｅＮＢ２００−２のサービスエリア内でＨｅＮＢ２００−１やｅＮＢ２００−２と無線通信を行うことで、通話サービスなど様々なサービスの提供を受けることができる。なお、図２に示す通信システム１０においては、端末装置１００−１〜４が４台存在する例を表しているが１台でもよいし、４台以上存在してもよい。
【００３２】
ＨｅＮＢ２００−１及びｅＮＢ２００−２は、例えば、自局のサービスエリア内に在圏する端末装置１００−１〜４と無線通信を行う無線通信装置である。また、ＨｅＮＢ２００−１は、例えば、ＩＰＮＷ網６０２及びキャリアコアＮＷ網６０４を介して、ＨｅＮＢ−ＧＷ３００と通信を行う。また、ｅＮＢ２００−２は、例えば、キャリアアクセス網６０３及びキャリアコアＮＷ網６０４を介してＭＭＥ４００と通信を行う。なお、図２に示す通信システム１０においては、ＨｅＮＢ２００−１及びｅＮＢ２００−２は、１台ずつ存在する例を表しているが、それぞれ複数台であってもよい。なお、本通信システム１０は、ｅＮＢ２００−２のサービスエリアよりも狭いＨｅＮＢ２００−１のサービスエリアが、ｅＮＢ２００−２のサービスエリア内に階層的に配置されるＨｅｔＮｅｔ構成であってもよい。ＨｅｔＮｅｔ構成の場合のＨｅＮＢ２００−１及びｅＮＢ２００−２のサービスエリアの関係については、例えば、図７において後述する。以下、ＨｅＮＢ２００−１及びｅＮＢ２００−２を、それぞれ区別することなく、基地局装置２００と称する場合がある。
【００３３】
ＨｅＮＢ−ＧＷ３００は、例えば、複数のＨｅＮＢ２００−１とＭＭＥ４００との間に設置され、ＨｅＮＢ２００−１とＭＭＥ４００との中継処理を行う。ＨｅＮＢ−ＧＷ３００は、例えば、収容する複数のＨｅＮＢ２００−１から受信する特定のメッセージを終端することで、ＭＭＥ４００に送信させるメッセージ数を減らし、ＭＭＥ４００の処理負荷を軽減する。第２の実施の形態においては、ＨｅＮＢ−ＧＷ３００は、ＨｅＮＢ２００−１からトラヒック情報や端末装置１００−１〜４の周辺の基地局装置２００の情報を受信し、ハンドオーバー要求をＭＭＥ４００に送信する。ＨｅＮＢ−ＧＷ３００は、例えば、第１の実施の形態における中継装置３００である。
【００３４】
ＭＭＥ４００は、例えば、ＬＴＥの基地局装置２００の制御を行う装置である。ＭＭＥ４００は、例えば、複数のｅＮＢ２００−２を収容する。ＭＭＥ４００は、例えば、ｅＮＢ２００−２に在圏する端末装置１００−１〜４が他のｅＮＢやＨｅＮＢにハンドオーバーすることに対する許可または不許可を決定する移動管理を行う。また、ＭＭＥ４００は、例えば、端末装置１００−１〜４が不正な端末装置でないかどうかの認証を行う。ＭＭＥ４００は、例えば、ＨｅＮＢ−ＧＷ３００及びｅＮＢ２００−２とキャリアコアＮＷ網６０４などを介して通信を行う。ＭＭＥ４００は、例えば、第１の実施の形態における制御装置４００である。
【００３５】
＜端末装置の構成例＞
次に、端末装置１００の構成例について説明する。図３は、第２の実施の形態における、端末装置１００のハードウェア構成例を表す図である。
【００３６】
端末装置１００は、ＣＰＵ（Central Processing Unit）１０１、ＲＡＭ（Random Access Memory）１０２、記憶装置１０３、ＲＯＭ（Read Only Memory）１０４、無線ネットワークＩＦ１０５、出力ＩＦ１０６、ディスプレイ１０７、及びスピーカー１０８を備える。さらに、端末装置１００は、入力ＩＦ１０９、キー群１１０、ポインティングデバイス１１１、タッチパネルデバイス１１２、ＧＰＳ（Global Positioning System）アンテナ１１３、カメラ１１４、及びマイク１１５を備える。
【００３７】
ＣＰＵ１０１、ＲＡＭ１０２、記憶装置１０３、ＲＯＭ１０４、無線ネットワークＩＦ１０５、出力ＩＦ１０６、及び入力ＩＦ１０９は、バス１１６を介して互いに接続される。
【００３８】
ＣＰＵ１０１は、ＲＯＭ１０４からプログラムを読み出してＲＡＭ１０２へロードし、ロードしたプログラムを実行する。ＣＰＵ１０１は、例えば、無線ネットワークＩＦ１０５から、通信中の基地局装置２００及び周辺の基地局装置２００との通信状態に関する情報を受け取り、記憶装置１０３に記憶する。また、ＣＰＵ１０１は、例えば、定期的に、または基地局装置２００からの要求に応じて、記憶装置１０３に記憶している通信状態に関する情報を、Ｍｅａｓｕｒｅｍｅｎｔ  Ｒｅｐｏｒｔとして送信する。
【００３９】
なお、ＣＰＵ１０１は、例えば、ＭＰＵ（Micro Processing Unit）やＦＰＧＡ（Field Programmable Gate Array）などのプロセッサやコントローラであってもよい。
【００４０】
ＲＡＭ１０２は、例えば、ＣＰＵ１０１でプログラムが実行される際に、作業領域として機能する。
【００４１】
記憶装置１０３は、例えば、Ｍｅａｓｕｒｅｍｅｎｔ  Ｒｅｐｏｒｔとして送信する情報を記憶する。
【００４２】
ＲＯＭ１０４は、例えば、ＣＰＵ１０１で実行されるプログラムを記憶する。
【００４３】
無線ネットワークＩＦ１０５は、例えば、基地局装置２００と無線通信を行う。無線ネットワークＩＦ１０５は、例えば、ＬＴＥなどの通信規格に対応した無線通信を行う。
【００４４】
出力ＩＦ１０６は、例えば、端末装置１００における画像や音声の出力を実行し、ディスプレイ１０７及びスピーカー１０８を備える。
【００４５】
入力ＩＦ１０９は、例えば、端末装置１００における、ユーザ操作、位置情報、画像、及び音声の入力を実行し、キー群１１０、ポインティングデバイス１１１、タッチパネルデバイス１１２、ＧＰＳアンテナ１１３、カメラ１１４、及びマイク１１５を備える。
【００４６】
＜基地局装置の構成例＞
次に、基地局装置２００の構成例について説明する。図４は、第２の実施の形態における、基地局装置２００のハードウェア構成例を表す図である。
【００４７】
基地局装置２００は、ＣＰＵ２０１、ＲＡＭ２０２、記憶装置２０３、ＲＯＭ２０４、有線ネットワークＩＦ２０５、及び無線ネットワークＩＦ２０６を備える。ＣＰＵ２０１、ＲＡＭ２０２、記憶装置２０３、ＲＯＭ２０４、有線ネットワークＩＦ２０５、及び無線ネットワークＩＦ２０６は、バス２０７を介して互いに接続される。
【００４８】
ＣＰＵ２０１は、ＲＯＭ２０４からプログラムを読み出してＲＡＭ２０２へロードし、ロードしたプログラムを実行する。ＣＰＵ２０１は、例えば、基地局装置２００のエリア内に在圏している端末装置１００のトラヒック量を測定する。ＣＰＵ２０１は、例えば、測定した端末装置１００毎のトラヒック量の合計を算出する。ＣＰＵ２０１は、算出したトラヒック量の合計値と、基地局装置２００全体のトラヒック量の上限値を比較し、上限値に対してどれくらい利用しているかというトラヒック量の利用率を算出する。ＣＰＵ２０１は、端末装置１００のトラヒック量及び利用率を、トラヒック情報として記憶装置２０３に記憶する。また、ＣＰＵ２０１は、例えば、端末装置１００から受信したＭｅａｓｕｒｅｍｅｎｔ  Ｒｅｐｏｒｔなどの情報を、記憶装置２０３に記憶する。Ｍｅａｓｕｒｅｍｅｎｔ  Ｒｅｐｏｒｔには、例えば、端末装置１００と、端末装置１００に近接する基地局装置２００との通信品質などの情報が含まれる。また、ＣＰＵ２０１は、例えば、定期的に、ＨｅＮＢ−ＧＷ３００及びＭＭＥ４００に、有線ネットワークＩＦ２０５を介して、記憶装置２０３に記憶したトラヒック情報を送信する。
【００４９】
また、ＣＰＵ２０１は、例えば、ＨｅＮＢ−ＧＷ３００及びＭＭＥ４００から、有線ネットワークＩＦ２０５を介してハンドオーバー指示を受信した場合、該当する端末装置１００に対して、無線ネットワークＩＦ２０６を介してハンドオーバー指示を送信する。
【００５０】
なお、ＣＰＵ２０１は、例えば、ＭＰＵやＦＰＧＡなどのプロセッサやコントローラであってもよい。
【００５１】
ＲＡＭ２０２は、例えば、ＣＰＵ２０１でプログラムが実行される際に、作業領域として機能する。
【００５２】
記憶装置２０３は、例えば、ＣＰＵ２０１で収集したトラヒック情報や、基地局装置２００と通信中の端末装置１００のＭｅａｓｕｒｅｍｅｎｔ  Ｒｅｐｏｒｔの情報などを記憶する。
【００５３】
ＲＯＭ２０４は、例えば、ＣＰＵ２０１で実行されるプログラムを記憶する。
【００５４】
有線ネットワークＩＦ２０５は、例えば、ＨｅＮＢ−ＧＷ３００や、ＭＭＥ４００と通信を行う。基地局装置２００と、ＨｅＮＢ−ＧＷ３００及びＭＭＥ４００とは、例えば、Ｓ１インターフェースやＸ２インターフェースなどのインターフェースを用いて通信が行われる。
【００５５】
無線ネットワークＩＦ２０６は、例えば、端末装置１００と通信を行う。無線ネットワークＩＦ２０６は、例えば、ＬＴＥなどの通信規格に対応した無線通信を行う。
【００５６】
＜ＨｅＮＢ−ＧＷの構成例＞
次に、ＨｅＮＢ−ＧＷ３００の構成例について説明する。図５は、第２の実施の形態における、ＨｅＮＢ−ＧＷ３００のハードウェア構成例を表す図である。
【００５７】
ＨｅＮＢ−ＧＷ３００は、ＣＰＵ３０１、ＲＡＭ３０２、記憶装置３０３、ＲＯＭ３０４、及び有線ネットワークＩＦ３０６を備える。ＣＰＵ３０１、ＲＡＭ３０２、記憶装置３０３、ＲＯＭ３０４、及び有線ネットワークＩＦ３０６は、バス３０７を介して互いに接続される。
【００５８】
ＣＰＵ３０１は、ＲＯＭ３０４からプログラムを読み出してＲＡＭ３０２へロードし、ロードしたプログラムを実行する。ＣＰＵ３０１は、例えば、定期的に基地局装置２００から受信したトラヒック情報を、記憶装置３０３に記憶する。ＣＰＵ３０１は、例えば、基地局装置２００から受信したトラヒック情報から、トラヒック量や利用率が閾値を超えている基地局装置２００を選定する。ＣＰＵ３０１は、例えば、選定した基地局装置２００と通信中の端末装置１００の中から、トラヒック量が閾値以下の端末装置１００を選定する。ＣＰＵ３０１は、例えば、選定した端末装置１００に近接する基地局装置２００の情報を得るため、基地局装置２００に対して、選定した端末装置１００の情報を送信するように要求する。ＣＰＵ３０１は、例えば、取得した端末装置１００の情報から、当該端末装置１００をハンドオーバーさせる移動先の基地局装置２００を選択する。移動先の基地局装置２００は、例えば、端末装置１００からの電波状態が良好であり、利用率の低い基地局装置２００である。ＣＰＵ３０１は、例えば、基地局装置２００から受信した、選定した端末装置１００に対するハンドオーバー要求であるかのように、移動先の基地局装置２００を対象としたハンドオーバー要求メッセージを作成し、ＭＭＥ４００に送信する。このように、ＨｅＮＢ−ＧＷ３００では、基地局装置２００のトラヒック情報を管理し、通信速度が低い端末装置１００を検出し、従来では基地局装置２００から受信するバンドオーバー要求を擬似的に作成し、ＭＭＥ４００に送信する。このようにすることで、利用率が高い基地局装置２００と通信している端末装置１００を、利用率が低い基地局装置２００に移動させることが可能となり、通信システム１０の負荷を分散することができる。また、ＨｅＮＢ−ＧＷ３００が、配下に存在する基地局装置２００のトラヒック情報の管理行うことで、ＭＭＥ４００が移動管理すべき端末装置１００の数が減少し、処理負荷が軽減する。さらに、ＨｅＮＢ−ＧＷ３００が配下に存在する基地局装置２００のトラヒック管理を行うため、隣接する基地局装置２００同士でのトラヒック情報の送受信がなく、通信システム１０の処理負荷が軽減する。
【００５９】
なお、ＣＰＵ３０１は、例えば、ＭＰＵやＦＰＧＡなどのプロセッサやコントローラであってもよい。
【００６０】
ＲＡＭ３０２は、例えば、ＣＰＵ３０１でプログラムが実行される際に、作業領域として機能する。
【００６１】
記憶装置３０３は、例えば、基地局装置２００から受信した、トラヒック情報及び端末装置１００に近接する基地局装置２００の情報を記憶する。
【００６２】
ＲＯＭ３０４は、例えば、ＣＰＵ３０１で実行されるプログラムを記憶する。
【００６３】
有線ネットワークＩＦ３０６は、例えば、ＭＭＥ４００や基地局装置２００と通信を行う。
【００６４】
＜ＭＭＥの構成例＞
次に、ＭＭＥ４００の構成例について説明する。図６は、第２の実施の形態における、ＭＭＥ４００のハードウェア構成例を表す図である。
【００６５】
ＭＭＥ４００は、ＣＰＵ４０１、ＲＡＭ４０２、記憶装置４０３、ＲＯＭ４０４、及び有線ネットワークＩＦ４０６を備える。ＣＰＵ４０１、ＲＡＭ４０２、記憶装置４０３、ＲＯＭ４０４、及び有線ネットワークＩＦ４０６は、バス４０７を介して互いに接続される。
【００６６】
ＣＰＵ４０１は、ＲＯＭ４０４からプログラムを読み出してＲＡＭ４０２へロードし、ロードしたプログラムを実行する。ＣＰＵ４０１は、例えば、ＨｅＮＢ−ＧＷ３００や、ＨｅＮＢ−ＧＷ３００の配下の基地局装置２００以外の基地局装置２００から、トラヒック情報や端末装置１００に近接する基地局装置２００の情報などを受信する。ＣＰＵ４０１は、例えば、受信した情報を解析し、基地局装置２００にハンドオーバー指示などを送信する。
【００６７】
なお、ＣＰＵ４０１は、例えば、ＭＰＵやＦＰＧＡなどのプロセッサやコントローラであってもよい。
【００６８】
ＲＡＭ４０２は、例えば、ＣＰＵ４０１でプログラムが実行される際に、作業領域として機能する。
【００６９】
記憶装置４０３は、例えば、基地局装置２００やＨｅＮＢ−ＧＷ３００から受信した、トラヒック情報や、基地局装置２００のリソース情報を記憶する。
【００７０】
ＲＯＭ４０４は、例えば、ＣＰＵ４０１で実行されるプログラムを記憶する。
【００７１】
有線ネットワークＩＦ４０６は、例えば、ＨｅＮＢ−ＧＷ３００や基地局装置２００と通信を行う。
【００７２】
＜ＨｅＮＢ−ＧＷの動作例＞
次に、ＨｅＮＢ−ＧＷ３００の動作例について説明する。
【００７３】
第２の実施の形態においては、ＨｅＮＢ−ＧＷ３００は、配下の基地局装置２００のトラヒック情報を収集し、基地局装置２００で輻輳が発生しているかどうかを判定する。ＨｅＮＢ−ＧＷ３００は、基地局装置２００で輻輳が発生していると判定すると、擬似ハンドオーバー処理を行う。また、ＨｅＮＢ−ＧＷ３００は、擬似ハンドオーバー処理を終えると、輻輳が発生していた基地局装置２００に対して端末装置１００が流入してくることを抑止する処理を行う。
【００７４】
動作例については、最初にＨｅＮＢ−ＧＷ３００が配下の基地局装置２００からトラヒック情報を受信し、輻輳状態を判定する輻輳判定処理について説明する。次に、ＨｅＮＢ−ＧＷ３００が、判定結果に応じて実施する、擬似ハンドオーバー処理について説明する。次に、ＨｅＮＢ−ＧＷ３００が、輻輳が発生していた基地局装置２００に端末装置１００が流入することを抑止する、流入抑止処理について説明する。
【００７５】
＜輻輳判定処理＞
図７は、ＨｅＮＢ−ＧＷ３００が、配下の基地局装置２００−１〜５からトラヒック情報を受信する流れの例を表している。図７における通信システム１０は、例えば、ＨｅｔＮｅｔである。図７において、例えば、基地局装置２００−１〜５のサービスエリアをｃ２００−１〜５で示す。また、図７において、例えば、基地局装置２００−１〜４はＨｅＮＢであり、基地局装置２００−５はｅＮＢである。図７におけるサービスエリアは、例えば、サービスエリアｃ２００−５の中に、サービスエリアｃ２００−１〜４が含まれる。このように、図７では、例えば、ｅＮＢが有するサービスエリア内に、ＨｅＮＢの有するサービスエリアが複数存在し、階層的にサービスエリアを構成する、ＨｅｔＮｅｔ構成のネットワークを示している。なお、本動作例においては、ＨｅｔＮｅｔを用いて説明を行うが、ＨｅｔＮｅｔに限定するものではない。
【００７６】
基地局装置２００−１は、例えば、定期的に基地局装置２００−１のトラヒック情報を、ＨｅＮＢ−ＧＷ３００に送信する（Ｓ１１）。トラヒック情報は、例えば、基地局装置２００−１全体のトラヒック量や利用率、また、基地局装置２００−１と通信中の端末装置１００のトラヒック量などが含まれる。同様に、基地局装置２００−２〜５は、定期的に基地局装置２００−２〜５のトラヒック情報を、ＨｅＮＢ−ＧＷ３００に送信する（Ｓ１２〜Ｓ１５）。なお、基地局装置２００−１〜５がトラヒック情報を送信するタイミングは、例えば、ＨｅＮＢ−ＧＷ３００からのトラヒック情報を送信するように要求されたタイミングでもよい。また、基地局装置２００−１〜５がトラヒック情報を送信するタイミングは、例えば、基地局装置２００−１〜５が、利用率が閾値以上になったことを検出したときや、通信中の端末装置１００のトラヒックレートが閾値以下になったことを検出したときでもよい。
【００７７】
ＨｅＮＢ−ＧＷ３００は、基地局装置２００−１〜５からトラヒック情報を受信すると、例えば、記憶装置３０３にトラヒック情報を記憶する。ＨｅＮＢ−ＧＷ３００は、例えば、情報をリスト形式で記憶する。図７，８，９は、ＨｅＮＢ−ＧＷ３００が記憶するリストの例を表している。
【００７８】
図８は、基地局装置２００−１〜５ごとのトラヒック情報のリスト（Ｌ１）である。リストの情報としては、例えば、「セル」、「トラヒック量」、「利用率」がある。「セル」とは、例えば、基地局装置２００−１〜５のＩＤなどの情報である。「トラヒック量」とは、例えば、基地局装置２００−１〜５の全体のトラヒック量を示しており、単位はｂｐｓ（bit per second）である。「利用率」とは、例えば、基地局装置２００−１〜５のトラヒック量の上限値に対して、どれくらいの通信を行っているかという割合を示しており、単位は％（パーセント）である。ＨｅＮＢ−ＧＷ３００は、例えば、トラヒック情報を受信すると、トラヒック情報の送信元の基地局装置２００−１〜５に該当する情報を更新する。
【００７９】
図９は、トラヒック情報の送信元の基地局装置２００−１〜５と通信中の端末装置１００のトラヒック量のリスト（Ｌ２）である。リストの情報としては、例えば、「接続セル」、「ユーザ」、及び「瞬間トラヒック量」がある。「接続セル」とは、例えば、端末装置１００が通信中の基地局装置２００−１〜５のことであり、基地局装置２００−１〜５のＩＤなどの情報である。「ユーザ」とは、例えば、端末装置１００のことであり、端末装置１００の電話番号や、端末装置１００のＩＭＥＩ（International Mobile Equipment Identity）などの識別情報である。「瞬間トラヒック量」とは、例えば、端末装置１００の単位時間あたりのトラヒック量を示しており、単位はｂｐｓ（bit per second）である。ＨｅＮＢ−ＧＷ３００は、例えば、トラヒック情報を受信すると、トラヒック情報の送信元の基地局装置２００−１〜５及び端末装置１００に該当する情報を更新する。
【００８０】
図１０は、端末装置１００ごとのトラヒック量の推移を示すリスト（Ｌ３）である。リストの情報としては、例えば、縦軸に「ユーザ」を配し、横軸に「測定タイミング」を配する。「ユーザ」とは、例えば、端末装置１００のことであり、端末装置１００の電話番号や、端末装置１００のＩＭＥＩなどの識別情報である。「測定タイミング」は、例えば、ＨｅＮＢ−ＧＷ３００が基地局装置２００−１〜５からトラヒック情報を受信したタイミングを示しており、「−Ｔ１」は前回測定時を示す。ＨｅＮＢ−ＧＷ３００は、例えば、トラヒック情報を受信すると、トラヒック情報に含まれる端末装置１００に該当する「ユーザ」に対する「今回」のトラヒック量を記憶する。ＨｅＮＢ−ＧＷ３００は、「今回」のトラヒック量を記憶するとき、今まで記憶していたデータの測定タイミングを一つ過去の測定タイミングのものとしてシフトする。ＨｅＮＢ−ＧＷ３００は、例えば、シフトした結果、一番古い測定タイミングにおけるトラヒック量に関するデータは、削除してもよい。
【００８１】
次に、ＨｅＮＢ−ＧＷ３００が行う、輻輳判定処理について説明する。図１１は、輻輳判定処理のフローの例を表している。図１２は、輻輳判定処理において使用するデータの例をグラフや表で表したものである。
【００８２】
ＨｅＮＢ−ＧＷ３００は、基地局装置２００−１〜５からトラヒック情報を受信すると、トラヒック情報の送信元の基地局装置２００−１〜５の輻輳判定処理を行う。例えば、基地局装置２００−１からトラヒック情報を受信したときの輻輳判定処理について説明する。
【００８３】
ＨｅＮＢ−ＧＷ３００は、輻輳判定処理を開始すると（Ｐ１０）、送信元の基地局装置２００−１の総トラヒック量と閾値を比較する（Ｐ１１）。総トラヒック量とは、例えば、当該基地局装置２００−１全体のトラヒック量を示しており、単位はｂｐｓ（bit per second）である。図１２（Ａ）は、各測定タイミングにおける基地局装置２００−１の総トラヒック量を示すグラフである。今回の測定タイミグがＴ２あったとき、図１２（Ａ）によると、総トラヒック量が閾値以上となっている。ＨｅＮＢ−ＧＷ３００は、総トラヒック量が閾値より小さい場合（Ｐ１１のＮｏ）、輻輳判定処理を終了する（Ｐ１４）。
【００８４】
ＨｅＮＢ−ＧＷ３００は、総トラヒック量が閾値以上であった場合（Ｐ１１のＹｅｓ）、基地局装置２００−１と通信中の端末装置１００ごとのトラヒック量を確認する（Ｐ１２）。図１２（Ｂ）は、図１２（Ａ）の総トラヒック量を、端末装置１００ごとに表している。図１２（Ｂ）によると、例えば、当該基地局装置２００−１と通信中の端末装置１００は９つ存在し、ユーザ４〜９は、ユーザ１〜３と比較して、トラヒック量が少ないことがわかる。図１２（Ｃ）は、図１２（Ｂ）から、閾値以下のトラヒック量しか通信できていない端末装置１００の数を示している。図１２（Ｃ）における、「最低保証トラヒックレート未満ユーザ数」の「最低保障トラヒックレート」とは、例えば、端末装置１００が保障されるべきトラヒック量の下限値を示している。ＨｅＮＢ−ＧＷ３００は、例えば、「最低保障トラヒックレート」を閾値として保有しており、この閾値と端末装置１００のトラヒック量を比較することで、「最低保証トラヒックレート未満ユーザ数」を算出する。図１２（Ｃ）において、測定タイミングＴ２における「最低保障トラヒックレート未満ユーザ数」の「６」は、図１２（Ｂ）における、ユーザ４〜９の６つのユーザを示している。ＨｅＮＢ−ＧＷ３００は、最低保障トラヒックレート以下の端末装置１００が存在しない場合（Ｐ１２のＮｏ）、輻輳判定処理を終了する（Ｐ１４）。
【００８５】
ＨｅＮＢ−ＧＷ３００は、最低保障トラヒックレート以下の端末装置１００が存在する場合（Ｐ１２のＹｅｓ）、擬似ハンドオーバー処理を行い（Ｐ１３）、輻輳判定処理を終了する（Ｐ１４）。擬似ハンドオーバー処理の詳細については後述する。
【００８６】
このように、ＨｅＮＢ−ＧＷ３００は、基地局装置２００−１〜５のトラヒック情報を管理する。
【００８７】
＜擬似ハンドオーバー処理＞
図１３は、ＨｅＮＢ−ＧＷ３００において、擬似ハンドオーバー処理を行うときの、処理の流れの例を表している。また、図１４は、ＨｅＮＢ−ＧＷ３００における、擬似ハンドオーバー処理の処理フローの例を表している。以下、図１３、図１４を用いて、擬似ハンドオーバー処理について説明する。
【００８８】
ＨｅＮＢ−ＧＷ３００は、輻輳判定処理において確認した、最低保障トラヒックレート以下のトラヒック量の端末装置１００を、ハンドオーバー対象の端末装置１００として選定する。最低トラヒックレート以下のトラヒック量の端末装置１００が複数ある場合、そのうち１台をハンドオーバー対象としてもよいし、複数台をハンドオーバー対象としてもよい。また、１台をハンドオーバー対象として選定する方法は、例えば、今回測定時のトラヒック量が最も小さい端末装置１００を選定してもよいし、過去の測定時の平均トラヒック量が最も小さい端末装置１００を選定してもよい。ここでは、例えば、図１２（Ｂ）における、ユーザ４をハンドオーバーの対象端末装置１００として選定する。
【００８９】
ＨｅＮＢ−ＧＷ３００は、擬似ハンドオーバー処理を開始すると（Ｐ２０）、基地局装置２００−１に対して、ユーザ４に関する「ユーザ情報取得要求」を送信する（Ｓ２１、Ｐ２１）。「ユーザ情報取得要求」は、例えば、ユーザ４に近接するセルの情報を送信するように要求するメッセージである。
【００９０】
次に、基地局装置２００−１は、「ユーザ情報取得要求」を受信すると、ＨｅＮＢ−ＧＷ３００に「ユーザ情報取得応答」を送信する（Ｓ２２）。「ユーザ情報取得応答」は、例えば、ユーザ４から受信するＭｅａｓｕｒｅｍｅｎｔ  Ｒｅｐｏｒｔに含まれる、ユーザ４に近接するセルの電波状況の情報が含まれる。図１５は、「ユーザ情報取得応答」に含まれるデータの例（Ｌ４）を表している。
【００９１】
ＨｅＮＢ−ＧＷ３００は、「ユーザ情報取得応答」を受信すると（Ｓ２２、Ｐ２２）、ユーザ４に近接するセルで、通信品質が良好なものが存在するかどうかを確認する（Ｐ２３）。通信品質が良好かどうかの確認は、例えば、電波強度と閾値を比較してもよいし、基地局装置２００−１が判定して、ユーザ情報取得応答に掲載してもよい。ＨｅＮＢ−ＧＷ３００は、近接セルに、通信品質が良好なものがない場合（Ｐ２３のＮｏ）、擬似ハンドオーバー処理を終了する（Ｐ２８）。図１５は、基地局装置２００−１が、通信品質を判定した結果を「ユーザ情報取得応答」に掲載している例である。ＨｅＮＢ−ＧＷ３００は、図１５に示すように、通信品質が良好の近接セルが存在することを確認し（Ｐ２３のＹｅｓ）、ユーザ４がハンドオーバーする移動先のセルの候補の選択を行う（Ｐ２４）。候補セルは、図１５から、通信品質が良好である、「フェムトセル＃００４」と「フェムトセル＃０１５」を選出する。
【００９２】
次に、ＨｅＮＢ−ＧＷ３００は、候補セルに該当する基地局装置２００−２及び２００−３の利用率が、閾値以下かどうかを確認する（Ｐ２５）。例えば、図８に示すセルごとのトラヒック情報のリストにおいて、「フェムトセル＃００４」の利用率は１２％であり、「フェムトセル＃０１５」の利用率は２０％となっている。例えば、閾値を８０％とした場合、両方とも閾値以下となっているため、利用率が閾値以下のセルが存在することがわかる（Ｐ２５のＹｅｓ）。なお、利用率が閾値以下のセルが存在しない場合（Ｐ２５のＮｏ）、擬似ハンドオーバー処理を終了する（Ｐ２８）。
【００９３】
次に、ＨｅＮＢ−ＧＷ３００は、候補セルのうち、最も利用率が低いセルを移動先のセルとして決定する（Ｐ２６）。図８においては、「フェムトセル＃００４」の利用率が最も低いため、「フェムトセル＃００４」をユーザ４の移動先のセルとして決定する。
【００９４】
次に、ＨｅＮＢ−ＧＷ３００は、ユーザ４がフェムトセル＃００４にハンドオーバーするために「ハンドオーバー要求」を作成し、ＭＭＥ４００に送信し（Ｓ２４、Ｐ２７）、擬似ハンドオーバー処理を終了する（Ｐ２８）。「ハンドオーバー要求」は、例えば、端末装置１００をある基地局装置２００−２にハンドオーバーさせるために、基地局装置２００−１がＭＭＥ４００に送信するメッセージである。第２の実施の形態において、ＨｅＮＢ−ＧＷ３００は、当該ハンドオーバー要求メッセージを、あたかも基地局装置２００−１から受信したかのように作成し、ＭＭＥ４００に送信する。
【００９５】
次に、ＭＭＥ４００は、「ハンドオーバー要求」を受信すると、ＨｅＮＢ−ＧＷ３００に「ハンドオーバー指示」を送信する（Ｓ２５）。ＨｅＮＢ−ＧＷ３００は、受信した「ハンドオーバー指示」を、基地局装置２００−１に送信する（Ｓ２６）。基地局装置２００−１は、受信した「ハンドオーバー指示」に従い、ユーザ４に該当する端末装置１００に対して、フェムトセル＃００４に該当する基地局装置２００−２にハンドオーバーするように要求する（Ｓ２７）。
【００９６】
このように、トラヒック量の高い基地局装置２００−１と通信中の端末装置１００を、トラヒック量の低い基地局装置２００−２にハンドオーバーさせることで、トラヒック量の低い端末装置１００を減少させ、ネットワークの負荷が分散できる。
【００９７】
また、ＨｅＮＢ−ＧＷ３００は、輻輳判定処理で基地局装置２００−１〜５のトラヒック情報を管理し、擬似ハンドオーバー処理でトラヒック情報からハンドオーバー要求を作成している。例えば、基地局装置２００−１〜３が、互いにトラヒック情報を送受信し、互いの基地局装置２００−１〜３のトラヒックを管理する場合のトラヒック情報の流れを図１８に示す。図１８では、基地局装置２００−１〜３が互いにトラヒック管理を行う場合のトラヒック情報の流れを点線矢印（ｍ１，ｍ２）で示し、第２の実施の形態におけるトラヒック情報の流れを実線矢印（ｍ３）で示す。図１８に示すように、基地局装置２００−１が送信するトラヒック情報は、第２の実施の形態においては、ｍ３の１つのメッセージであるのに対して、基地局装置２００−１〜３が互いにトラヒック管理を行う場合は、ｍ１とｍ２の２つのメッセージが送信される。このように、第２の実施の形態のほうが、送信するメッセージが少なく、ネットワーク全体の負荷を抑えることができる。
【００９８】
また、例えば、ＭＭＥ４００が、配下の基地局装置２００−１〜３の全てのトラヒック情報を受信し、トラヒック管理を行う場合のトラヒック情報の流れを図１９に示す。図１９では、ＨｅＮＢ−ＧＷ３００が、基地局装置２００−１〜３からトラヒック情報を受信する（ｍ５〜７）。第２の実施の形態においては、例えば、ＨｅＮＢ−ＧＷ３００が、トラヒック管理を行っているため、ＭＭＥ４００にトラヒック情報を送信しない。一方、ＭＭＥ４００がトラヒック管理を行う場合、ＨｅＮＢ−ＧＷ３００は、基地局装置２００−１〜３から受信したトラヒック情報をＭＭＥ４００に送信する（ｍ８〜１０）。このように、第２の実施の形態のほうが、送信するメッセージが少なく、ネットワークの負荷を抑えることができる。
【００９９】
＜端末流入抑止処理＞
図１６は、ＨｅＮＢ−ＧＷ３００が、基地局装置２００−１の周囲の基地局装置に対して、基地局装置２００−１への端末装置１００の流入を抑止するように要求する処理の流れを表している。また、図１７は、ＨｅＮＢ−ＧＷ３００における、端末流入抑止処理の処理フローの例を表している。以下、図１６、図１７を用いて、端末流入抑止処理について説明する。
【０１００】
ＨｅＮＢ−ＧＷ３００は、基地局装置２００−１から端末装置１００をハンドオーバーで移動させた後、端末流入抑止処理を開始する（Ｐ３０）。端末流入抑止処理の開始契機は、例えば、ＭＭＥ４００にハンドオーバー要求を送信したときでもよいし、基地局装置２００−１にハンドオーバー指示を送信したときでもよい。ＨｅＮＢ−ＧＷ３００は、基地局装置２００−１に隣接する基地局装置２００−２〜５に、「流入抑止通知」を送信する（Ｓ３１〜３４、Ｐ３１）。「流入抑止通知」は、例えば、基地局装置２００−１に対してハンドオーバーをしないようにすることを、隣接する基地局装置２００−２〜５に要求するメッセージである。基地局装置２００−２〜５は、例えば、「流入抑止通知」を受信した以降、ハンドオーバー先から基地局装置２００−１を除外する。
【０１０１】
ＨｅＮＢ−ＧＷ３００は、基地局装置２００−１からトラヒック情報を受信すると（Ｓ３５、Ｐ３２）、トラヒック情報に含まれる利用率が、閾値以下かどうかを確認する（Ｐ３３）。ＨｅＮＢ−ＧＷ３００は、利用率が閾値以下ではなかったとき（Ｐ３３のＮｏ）、基地局装置２００−１からのトラヒック情報の受信待ちとなる。
【０１０２】
ＨｅＮＢ−ＧＷ３００は、利用率が閾値以下のとき（Ｐ３３のＹｅｓ）、流入抑止解除通知を、基地局装置２００−２〜５に送信する（Ｓ３６〜３９、Ｐ３４）。「流入抑止解除通知」は、例えば、基地局装置２００−１に対するハンドオーバーの抑止を解除するためのメッセージである。基地局装置２００−２〜５は、例えば、「流入抑止解除通知」を受信した以降は、基地局装置２００−１に対してハンドオーバーを行ってもよい。
【０１０３】
図１６のフローでは、ＨｅＮＢ−ＧＷ３００は、基地局装置２００−１の利用率が閾値以下に下がったことを確認してから流入抑止解除通知を送信しているが、例えば、流入抑止通知を送信してから、一定の時間経過後に流入抑止解除通知を送信してもよい。
【０１０４】
このように、輻輳が発生していた基地局装置２００−１にハンドオーバーで端末装置１００が流入してくることを抑止することで、基地局装置２００−１で発生していた輻輳を解消させることができる。また、ハンドオーバーさせた端末装置１００が、元の基地局装置２００−１に、すぐにハンドオーバーで戻ってくることを防止することができ、端末装置１００が短時間に繰り返しハンドオーバーをしてしまうことを防ぐことができる。
【０１０５】
以上まとめると付記のようになる。
【０１０６】
（付記１）
端末装置と無線通信を行う第１及び第２の基地局装置と、前記第１及び第２の基地局装置を制御する制御装置との間に接続された中継装置において、
前記第１の基地局装置と無線通信を行っている前記端末装置の通信量を含むトラヒック情報を、前記第１の基地局装置から受信し、前記トラヒック情報に基づいて、前記端末装置を前記第１の基地局装置から前記第２の基地局装置に移動させるよう要求するハンドオーバー要求メッセージを、前記制御装置に送信するプロセッサ
を備えることを特徴とする中継装置。
【０１０７】
（付記２）
前記制御装置は、さらに第３の基地局装置と接続し、前記第３の基地局装置が有する第３のサービスエリアは、前記第１及び第２の基地局装置の有する第１及び第２のサービスエリアより広く、前記第１及び第２のサービスエリアは、前記第３のサービスエリに含まれることを特徴とする付記１記載の中継装置。
【０１０８】
（付記３）
前記第１の基地局装置が有する第１のサービスエリアは、前記第２の基地局装置が有する第２のサービスエリアより広く、前記第２のサービスエリアは、前記第１のサービスエリアに含まれることを特徴とする付記１記載の中継装置。
【０１０９】
（付記４）
前記プロセッサは、前記端末装置と前記第２の基地局装置との間の通信状態を示す品質情報を前記第１の基地局装置に要求し、前記第１の基地局装置から前記品質情報を受信し、前記品質情報及び前記トラヒック情報に応じて、前記端末装置の移動先の基地局装置として、前記第２の基地局装置を決定することを特徴とする付記１記載の中継装置。
【０１１０】
（付記５）
前記トラヒック情報は、さらに、前記第１の基地局装置の通信量の上限値に対して使用している通信量の割合を示す利用率を含むことを特徴とする付記４記載の中継装置。
【０１１１】
（付記６）
前記プロセッサは、前記端末装置が前記第２の基地局装置に移動した後、前記第１の基地局装置に前記端末装置が移動することを抑止するように要求する流入抑止通知を、前記第２の基地局装置に送信することを特徴とする付記１記載の中継装置。
【０１１２】
（付記７）
前記プロセッサは、前記第２の基地局装置に移動した後、前記第１の基地局装置に前記端末装置が移動することを抑止するように要求する流入抑止通知を、前記第２の基地局装置に送信し、前記流入抑止通知送信後に受信した前記トラヒック情報に基づいて、前記抑止を解除するように要求する流入抑止解除通知を、前記第２の基地局装置に送信することを特徴とする
付記１記載の中継装置。
【０１１３】
（付記８）
端末装置と無線通信を行う第１及び第２の基地局装置と、前記第１及び第２の基地局装置を制御する制御装置との間に接続された中継装置における中継方法であって、
前記第１の基地局装置と無線通信を行っている前記端末装置の通信量を含むトラヒック情報を、前記第１の基地局装置から受信し、
前記トラヒック情報に基づいて、前記端末装置を前記第１の基地局装置から前記第２の基地局装置に移動させるよう要求するハンドオーバー要求メッセージを、前記制御装置に送信する
ことを特徴とする中継方法。
【０１１４】
（付記９）
端末装置と無線通信を行う第１及び第２の基地局装置と、
前記第１及び第２の基地局装置を制御する制御装置と、
前記第１及び第２の基地局装置と前記制御装置との間に接続された中継装置とを備える通信システムにおいて、
前記第１の基地局装置は、前記第１の基地局装置と無線通信を行っている前記端末装置の通信量を含むトラヒック情報を、前記中継装置に送信し、
前記中継装置は、前記トラヒック情報を受信し、受信した前記トラヒック情報に基づいて、前記端末装置を前記第１の基地局装置から前記第２の基地局装置に移動させるよう要求するハンドオーバー要求メッセージを、前記制御装置に送信し
前記制御装置は、前記ハンドオーバー要求メッセージを受信することを特徴とする通信システム。
【０１１５】
（付記１０）
端末装置と無線通信を行う基地局装置を制御する制御装置と前記基地局装置との間に接続される中継装置と、他の基地局装置に、接続される前記基地局装置において、
前記端末装置の通信量を含むトラヒック情報を、前記他の基地局装置には送信せず、前記中継装置に送信するプロセッサを備えることを特徴とする基地局装置。
【０１１６】
（付記１１）
端末装置と無線通信を行う基地局装置を制御する制御装置と、前記基地局装置と前記制御装置との間に接続される中継装置に、接続される前記基地局装置において、
前記端末装置の通信量を含むトラヒック情報を、前記制御装置には送信せず、前記中継装置に送信するプロセッサを備えることを特徴とする基地局装置。
【０１１７】
（付記１２）
前記プロセッサは、前記端末装置と前記他の基地局装置との間の通信状態を示す品質情報を、前記中継装置から要求され、前記要求に応じて、前記品質情報を前記中継装置に送信することを特徴とする付記１０記載の基地局装置。
【０１１８】
（付記１３）
端末装置と無線通信を行う第１及び第２の基地局装置と、前記第１及び第２の基地局装置を制御する制御装置との間に接続された中継装置のコンピュータに実行させるプログラムであって、
前記第１の基地局装置と無線通信を行っている前記端末装置の通信量を含むトラヒック情報を、前記第１の基地局装置から受信し、前記トラヒック情報に基づいて、前記端末装置を前記第１の基地局装置から前記第２の基地局装置に移動させるよう要求するハンドオーバー要求メッセージを、前記制御装置に送信する処理を、
前記コンピュータに実行させることを特徴とするプログラム。
【符号の説明】
【０１１９】
１０…通信システム                        １００…端末装置
１０１…ＣＰＵ                            １０２…ＲＡＭ
１０３…記憶装置                          １０４…ＲＯＭ
１０５…無線ネットワークＩＦ              １０６…出力ＩＦ
１０７…ディスプレイ                      １０８…スピーカー
１０９…入力ＩＦ                          １１０…キー群
１１１…ポインティングデバイス            １１２…タッチパネルデバイス
１１３…ＧＰＳアンテナ                    １１４…カメラ
１１５…マイク                            １１６…バス
２００…基地局装置（ＨｅＮＢ、ｅＮＢ）    ２０１…ＣＰＵ
２０２…ＲＡＭ                            ２０３…記憶装置
２０４…ＲＯＭ                            ２０５…有線ネットワークＩＦ
２０６…無線ネットワークＩＦ              ２０７…バス
３００…中継装置（ＨｅＮＢ−ＧＷ）        ３０１…ＣＰＵ
３０２…ＲＡＭ                            ３０３…記憶装置
３０４…ＲＯＭ                            ３０６…有線ネットワークＩＦ
３０７…バス                              ４００…制御装置（ＭＭＥ）
４０１…ＣＰＵ                            ４０２…ＲＡＭ
４０３…記憶装置                          ４０４…ＲＯＭ
４０６…有線ネットワークＩＦ              ４０７…バス
６０１…ＬＴＥ網                          ６０２…ＩＰＮＷ網
６０３…キャリアアクセス網                ６０４…キャリアコアＮＷ網
【図１】
2016167725.tif 000003
【図２】
2016167725.tif 000004
【図３】
2016167725.tif 000005
【図４】
2016167725.tif 000006
【図５】
2016167725.tif 000007
【図６】
2016167725.tif 000008
【図７】
2016167725.tif 000009
【図８】
2016167725.tif 000010
【図９】
2016167725.tif 000011
【図１０】
2016167725.tif 000012
【図１１】
2016167725.tif 000013
【図１２】
2016167725.tif 000014
【図１３】
2016167725.tif 000015
【図１４】
2016167725.tif 000016
【図１５】
2016167725.tif 000017
【図１６】
2016167725.tif 000018
【図１７】
2016167725.tif 000019
【図１８】
2016167725.tif 000020
【図１９】
2016167725.tif 000021